(57)【要約】【課題】決まった位置に定置させておくのに有利な自立型フセンを提案する。【解決手段】主方向Ｘの両端に基端３及び先端４を有し、少なくとも表面にメモを記載可能な基材シート２と、この基材シート２の裏面側の基端３寄りに重ねて取り付けた補助シート１０とを具備する。補助シート１０は、主方向Ｘの中間部を境目Ｂとして弾性的に屈曲可能であり、その境目より前記基材シート２の先端４に近い側の一方半部１０ａを基材シート２へ常時固定された固定部とするとともに、前記境目Ｂより前記先端４から遠い方の他方半部１０ｂを前記ターゲット面Ｔへ貼着可能な取付部としている。前記補助シート１０を前記境目Ｂで屈曲させたときに、前記基材シート２のうち基端３寄りの部分が自立用のストッパＳとして補助シート１０から離れて前記ターゲット面Ｔに突き当たり、自立状態を維持する。【選択図】図１
2018194688.tif 000002
【特許請求の範囲】
【請求項１】
ターゲット面に対して自立可能なフセンであって、
主方向(Ｘ)の両端に基端(３)及び先端(４)を有し、少なくとも表面にメモを記載可能な基材シート(２)と、
この基材シート(２)の裏面側の基端(３)寄りに重ねて取り付けた補助シート(１０)と
を具備し、
補助シート(１０)は、主方向(Ｘ)の中間部を境目(Ｂ)として弾性的に屈曲可能であり、
その境目(Ｂ)より前記基材シート(２)の先端(４)に近い側の一方半部(１０ａ)を基材シート(２)へ常時固定された固定部とするとともに、前記境目(Ｂ)より前記先端(４)から遠い方の他方半部(１０ｂ)を前記ターゲット面(Ｔ)へ貼着可能な取付部として、この他方半部(１０ｂ)をターゲット面(Ｔ)に貼着している状態で、前記境目(Ｂ)で屈曲されたときに、当該他方半部(１０ｂ)側へ一方半部(１０ａ)及び基材シート(２)が倒伏することに抵抗できる程度の強度を有しており、
かつ前記補助シート(１０)を前記境目(Ｂ)で屈曲させたときに、前記基材シート(２)のうち基端(３)寄りの部分が自立用のストッパ(Ｓ)として補助シート(１０)から離れて前記ターゲット面(Ｔ)に突き当たり、自立状態を維持できるように構成したことを特徴とする、自立型フセン。
【請求項２】
前記ストッパ(Ｓ)がターゲット面(Ｔ)に突き当たっている状態で前記一方半部(１０ａ)及び他方半部(１０ｂ)の間の角度(θ)が鋭角になるように、ストッパ(Ｓ)の強度を設定したことを特徴とする、請求項１記載の自立型フセン。
【請求項３】
前記補助シート(１０)の主方向の中間部に境目(Ｂ)を確定するための折目線(ｆ)が形成されており、基材シート(２)の基端(３)は、折目線(ｆ)よりも基材シート(２)の先端(４)から遠い場所に位置されていることを特徴とする、請求項１又は請求項２に記載の自立型フセン。
【請求項４】
前記基材シート(２)の基端(３)は、前記折目線(ｆ)と他方半部(１０ｂ)の端部(１３)との間にあり、
前記補助シート(１０)の片面には貼着面(Ａｓ)が形成されており、この貼着面(Ａｓ)の一部を前記ターゲット面(Ｔ)への貼着部分として残して、貼着面(Ａｓ)の残りの部分を前記基材シート(２)に貼着させており、かつ前記貼着面(Ａｓ)の一部を剥離可能に覆う貼着面保護用シート(２０)を設けたことを特徴とする、請求項３に記載の自立型フセン。
【請求項５】
ターゲット面に対して自立可能なフセンであって、
可撓性を有する基材シート(２)で形成されており、
この基材シート(２)は、主方向(Ｘ)の両側の基端(３)及び先端(４)のうち基端(３)寄りに、少なくとも当該基端に沿って貼着領域(Ａｓ)を有する脚部(２ｂ)を、また先端(４)寄りに、前面をメモ面とするシート本体(２ａ)をそれぞれ含み、
これらシート本体(２ａ)及び脚部(２ｂ)の境目(Ｂ)に連続する切込み(６)を、前記脚部(２ｂ)に設けることにより、当該脚部(２ｂ)を、前記切込み(６)内に形成されるストッパ(Ｓ)と、前記切込み(６)の外に形成されかつ前記貼着領域(Ａｓ)を含む脚板部(８)とに２分しており、
前記境目(Ｂ)付近で前記脚部(２ｂ)を前記シート本体(２ａ)に対して後方へ撓ませることにより、前記ストッパ(Ｓ)を残して、前記脚板部(８)が弾性的に屈曲するように形成され、この屈曲状態で脚板部(８)をターゲット面(Ｔ)に貼着させたときに、前記ストッパ(Ｓ)がターゲット面(Ｔ)に突き当たることにより、シート本体の起立状態が維持されるように構成したことを特徴とする、自立型フセン。
【発明の詳細な説明】
【技術分野】
【０００１】
本発明は、自立型フセンは、特に複数のシート材からなる複合シート式フセン或いは単一のシートからなる単一シート式フセンに関する。自立型フセンは、例えばメモスタンドとして用いることができる態様を含むものとする。
【背景技術】
【０００２】
従来、紙などのシート材で簡易に作製できるメモスタンド（名刺立て）として、特許文献１の図１に示すものが知られている。
このメモスタンドは、一枚の矩形の紙片を二つ折りにして、折目を境に一半部及び他半部を区分し、一方半部に、周囲の一部を連結箇所として残して切断された切片を設け、他方半部に差込用のスリットを設けてなる。前記連結箇所で折ることで一方半部の輪郭から他方半部側へ切片を引き出し、この切片の先端部を前記スリット内に掛け留めすることにより、一方半部及び他方半部が側方から見て逆Ｖ字形の状態で固定され、スタンドとしての機能が発揮される。
【先行技術文献】
【特許文献】
【０００３】
【特許文献１】特開２０１４−１１３８１７
【特許文献２】特開２０１２−０８１６５４
【発明の概要】
【発明が解決しようとする課題】
【０００４】
特許文献１のスタンドは、紙などで形成される簡易な構成で自立機能を実現できるが、軽量であるために、例えば窓から風が吹き込んだり、他物と触れるなどして、利用者が置いた位置からずれてしまう可能性がある。
また前述の一方半部から切片を引き出して他方半部の差し込み用スリッドに差し込むことが必要であるが、手先が器用でない幼児や高齢者、或いは視力が弱く差し込み用スリットの位置を視認しにくい利用者などにとっては、使い勝手がよくないことがある。
メモを残して定位置に設置できるアイテムとして、紙片の表面をメモ面とし、裏面の一部に粘着部を有するフセンがある（特許文献２）。
本出願人は、従来のフセンの延長として、単一又は複数のシートに工夫を加えることで、自立型のフセンを作成することを着想し、これにより、定置性があり、使い勝手の良いスタンドその他自立型のアイテムが得られるのではないかと思料した。
【０００５】
本発明の第１の目的は、決まった位置に定置させておくのに有利な自立型フセンを提案することである。
本発明の第２の目的は、ターゲット面への設置作業が容易な自立型フセンを提案することである。
【課題を解決するための手段】
【０００６】
第１の手段は、ターゲット面に対して自立可能なフセンであって、
主方向Ｘの両端に基端３及び先端４を有し、少なくとも表面にメモを記載可能な基材シート２と、
この基材シート２の裏面側の基端３寄りに重ねて取り付けた補助シート１０と
を具備し、
補助シート１０は、主方向Ｘの中間部を境目Ｂとして弾性的に屈曲可能であり、
その境目Ｂより前記基材シート２の先端４に近い側の一方半部１０ａを基材シート２へ常時固定された固定部とするとともに、前記境目Ｂより前記先端４から遠い方の他方半部１０ｂを前記ターゲット面Ｔへ貼着可能な取付部として、この他方半部１０ｂをターゲット面Ｔに貼着している状態で、前記境目Ｂで屈曲されたときに、当該他方半部１０ｂ側へ一方半部１０ａ及び基材シート２が倒伏することに抵抗できる程度の強度を有しており、
かつ前記補助シート１０を前記境目Ｂで屈曲させたときに、前記基材シート２のうち基端３寄りの部分が自立用のストッパＳとして補助シート１０から離れて前記ターゲット面Ｔに突き当たり、自立状態を維持できるように構成している。
【０００７】
本手段では、図４に最もよく示すように少なくとも基材シート２と補助シート１０の組み合わせにより自立可能としたフセンを提案している。この自立型フセンの初期状態は、図３に示すように、基材シート２の裏面側の基端３寄りに少なくとも補助シート１０の一方端部１２を重ねて取り付けてなる。なお、図示例中の符号２０で表す部材（貼着面保護用シート）は本手段において必須ではないので、ここでは説明しない。
前記補助シート１０は境目Ｂで屈曲可能であり、境目Ｂの両側に、基材シート２への固定部である一方半部１０ａとターゲット面Ｔへの貼着部である他方半部１０ｂとが形成される。
前記一方半部１０ａと他方半部１０ｂとの角度θは図示例では鋭角であるが、その角度は基材シート２を操作することにより変更可能である。従って補助シート１０は、一種のヒンジ機構Ｈとしてターゲット面Ｔに基材シート２を連結するものであるが、通常のヒンジと異なる点は前記境目Ｂにおいて弾性的に屈曲されており、屈曲されている状態から元の状態に戻ろうとする力が働いていることである。この力が作用することで、一方半部１０ａ及び基材シート２が自重により他方半部１０ｂ側へ倒伏することを回避しているのである。もっとも、弾性的に屈曲といっても一般的な弾性材料で補助シート１０を形成する必要はなく、例えば上質紙などの紙を曲げたときにもとに戻ろうとする力で十分である。そして前記境目Ｂで補助シート１０を屈曲させたときに、基材シート２の基端３寄りのストッパＳが補助シート１０の他方半部１０ｂと反対側へ突き出て、ターゲット面Ｔに当接する（図４、図５参照）。これにより、自立状態が維持される。
【０００８】
「屈曲」とは、補助シート１０の他方半部１０ｂ側への一方半部１０ａ及び基材シート２が倒伏することに対する抵抗力を損なわない範囲で補助シート１０を屈折させることを含む。
「貼着」とは、本明細書において「接着」及び「粘着」のいずれをも含むものとする。
【０００９】
第２の手段は、第１の手段を有し、かつ
前記ストッパＳがターゲット面Ｔに突き当たっている状態で前記一方半部１０ａ及び他方半部１０ｂの間の角度θが鋭角になるように、ストッパＳの強度を設定した。
【００１０】
本手段では、ストッパＳがターゲット面Ｔに突き当たっている状態で前記一方半部１０ａ及び他方半部１０ｂの間の角度θが鋭角になるようにすることを提案している。これにより、基材シート２の表側が上向きになるとで表面側に表れるメモの内容を見易くなる。
【００１１】
第３の手段は、第１の手段又は第２の手段を有し、かつ
前記補助シート１０の主方向の中間部に境目Ｂを確定するための折目線ｆが形成されており、基材シート２の基端３は、折目線ｆよりも基材シート２の先端４から遠い場所に位置されている。
【００１２】
本手段では、図１に実線で示す基材シート２の基端３の位置と同図に想像線で示す折目線ｆの位置とをずらすことを提案している。すなわち、基材シート２の基端３が折目線ｆよりも基材シート２の先端４から遠い場所に位置している。基材シート２のうちで折目線ｆよりも基材シート２の先端４から遠い部分はストッパＳとなるので（図４参照）、ストッパＳの係止機能を十分に担保することができる。
【００１３】
第４の手段は、第３の手段を有し、かつ
前記基材シート２の基端３は、前記折目線ｆと他方半部１０ｂの端部１３との間にあり、
前記補助シート１０の片面には貼着面Ａｓが形成されており、この貼着面Ａｓの一部を前記ターゲット面Ｔへの貼着部分として残して、貼着面Ａｓの残りの部分を前記基材シート２に貼着させており、かつ前記貼着面Ａｓの一部を剥離可能に覆う貼着面保護用シート２０を設けた。
【００１４】
本手段では、図２に示す補助シート１０の片面には貼着面Ａｓの一部をターゲット面Ｔの一部とし、貼着面Ａｓの残りの部分を基材シート２に貼着させており、かつ前記貼着面Ａｓの一部を覆う貼着面保護用シート２０で覆うように形成している。
【００１５】
第５の手段は、
ターゲット面に対して自立可能なフセンであって、
可撓性を有する基材シート２で形成されており、
この基材シート２は、主方向Ｘの両側の基端３及び先端４のうち基端３寄りに、少なくとも当該基端に沿って貼着領域Ａｓを有する脚部２ｂを、また先端４寄りに、前面をメモ面とするシート本体２ａをそれぞれ含み、
これらシート本体２ａ及び脚部２ｂの境目Ｂに連続する切込み６を、前記脚部２ｂに設けることにより、当該脚部２ｂを、前記切込み６内に形成されるストッパＳと、前記切込み６の外に形成されかつ前記貼着領域Ａｓを含む脚板部８とに２分しており、
前記境目Ｂ付近で前記脚部２ｂを前記シート本体２ａに対して後方へ撓ませることにより、前記ストッパＳを残して、前記脚板部８が弾性的に屈曲するように形成され、この屈曲状態で脚板部８をターゲット面Ｔに貼着させたときに、前記ストッパＳがターゲット面Ｔに突き当たることにより、シート本体の起立状態が維持されるように構成した。
【００１６】
本手段では、図６に示すように、単一の基材シート２で形成できる自立可能なフセンを提案している。このために、基材シート２の脚部２ｂに切込み６を設けることで、当該脚部２ｂに設けた切込み６内に形成されるストッパＳを押し込むことで、ストッパＳを、脚部２ｂの残りの部分で形成する脚板部８と分離し、ターゲット面Ｔに定置させることができるので、使い勝手が良い。
【発明の効果】
【００１７】
第１の手段及び第５の手段に係る発明によれば、貼着型で自立可能なフセンであるから、決まった位置に定置させておくのに有利であり、置いた場所が分からなくなる不具合を生じにくい。
第１の手段に係る発明によれば、基材シート２の基端３寄りに補助シート１０の一方半部１０ａを固定しており、基材を屈曲させることにより、ターゲット面への貼着用の他方半部１０ｂと基材シート２の基端３側のストッパＳとを分離して、ターゲット面へ他方半部１０ｂを貼り付けると、ストッパＳがターゲット面Ｔに突き当たって自立状態が保持できるから、操作が簡単である。
第２の手段に係る発明によれば、一方半部１０ａ及び他方半部１０ｂの間の角度θが鋭角なので、基材シート２の表側のメモが見易い。
第３の手段に係る発明によれば、基材シート２の基端３が、折目線ｆよりも基材シート２の先端４から遠い場所に位置されているから、基材シート２のうちで折目線ｆよりも基材シート２の先端４から遠い部分をストッパＳと確保することができ（図４参照）、ストッパＳの係止機能を十分に担保することができる。
第４の手段に係る発明によれば、前記基材シート２の貼着面Ａｓのうちのターゲット面Ｔへの貼着用の部分を接着面保護用シートＬ３で覆っているから、接着力を保持できる。
第５の手段に係る発明によれば、単一の基材シートにより自立型フセンが構成できるから、さらに構成が簡単となり、基材シート２の脚部２ｂに設けたストッパＳを押し込むことで、脚部２ｂの残りの部分で形成した脚板部８と分離し、ターゲット面Ｔに定置できるから、操作が簡単である。
【図面の簡単な説明】
【００１８】
【図１】本発明の第１実施形態に係る自立型フセンの表面図である。
【図２】図１の自立型フセンの裏面図である。
【図３】図１の自立型フセンの側面図である。
【図４】図１の自立型フセンの使用状態の説明図である。
【図５】図１の自立型フセンの変形例の使用状態の説明図である。
【図６】本発明の第２実施形態に係る自立型フセンの表面図である。
【図７】図６の自立型フセンの構成を説明するための図であり、同図（Ｂ）は本実施形態の自立型フセンの使用状態を、同図（Ａ）は比較例の使用状態をそれぞれ示すものである。
【発明を実施するための最良の形態】
【００１９】
図１から図５は、本発明の第１実施形態に係る自立型フセンを示しており、当該自立型フセンは、ターゲット面Ｔに対して自立可能に形成されている（図４及び図５参照）。
本実施形態の自立型フセンは、複合シート式フセンであり、基材シート２と補助シート１０と貼着面保護用シート２０からなる。これら各シートは、例えば上質紙のような紙類又は合成樹脂で形成することができる。
本明細書において「シート」というときにはフィルムを含むものとする。
【００２０】
基材シート２は、主方向Ｘの両端に基端３及び先端４を有し、少なくとも表面を、メモを記載することが可能なメモ面としている。図示例では、主方向Ｘに長く、これと直交する方向Ｙ（巾方向）に一定の巾を有する長方形に形成されているが、その形状は適宜変更することができる。
【００２１】
補助シート１０は、前記基材シート２の裏面、すなわち、メモ面と反対側に対して取り付けられている。
この補助シート１０は、少なくとも主方向Ｘの中間部を境目Ｂとして弾性的に屈曲可能であり、この境目の両側に一方半部１０ａ及び他方半部１０ｂを有する。
前記一方半部１０ａは、基材シート２へ常時固定された固定部としての役目を有し、前記境目Ｂよりも前記基材シート２の先端４の近くにある。
前記他方半部１０ｂは、前記ターゲット面Ｔへ貼着可能な取付部としての役目を有し、前記境目Ｂより前記先端４から遠くにある。
好適な図示例では、補助シート１０は、Ｘ方向の両側に一方端部１２及び他方端部１３を有する四角形（長方形）であり、基材シート２と同巾であるが、Ｘ方向に短く形成されているが、これらの形態は適宜変更することができる。
また図示例では、補助シート１０の表面側全体に貼着面Ａｓ形成用の貼着層を付している。この構成によれば、一つの貼着層を付することにより、基材シート２への固定手段及びターゲット面Ｔへの取り付け手段を形成することができ、経済的であるが、必ずしもこの構成に限定されず、例えば一方半部１０ａに接着層を、他方半部に粘着層をそれぞれ形成しても構わない。
本実施形態では、前記境目Ｂには補助シート１０の巾方向全長に亘って肉薄部である折目線ｆが形成されている。折目線ｆは、補助シート１０の主方向の中間部に境目Ｂを確定する役割を有する。もっとも境目Ｂは必ずしも図示例の折目線ｆのように外観上明瞭に表れる構造でなくてもよく、少なくとも境目Ｂで補助シート１０が屈曲し、境目の両側の両半部が前述の通り基材シート２への固定部及びターゲット面Ｔへ貼着可能な取付部の機能を果たせばどのような構成でもよい。
前記補助シート１０は、境目Ｂで屈曲させて他方半部１０ｂをターゲット面へ貼着した状態で、基材シート２とターゲット面とを、ヒンジ機構Ｈの如き態様で連結する。もっとも通常のヒンジとは異なり、補助シート１０には、平板状の原形状から図４に示す“∠”形状に屈曲されたときに原形状へ戻ろうとする力が働く。
この復元力により、図４の状態で基材シート２及び一方半部１０ａの自重に抵抗して、これら基材シート２及び一方半部１０ａが他方半部１０ｂ側へ倒伏することに抵抗している。
一般に弾性材料は変形時に大きな復元力を発揮するが、本実施形態の場合には、基材シート２及び一方半部１０ａが軽量であるために、それ程大きい復元力は必要がなく、従って補助シート１０を一般に弾性材料と呼ばれる素材で形成することは必ずしも必要ない。例えば紙であれば厚めの紙（上質紙など）を用いれば十分である。
本実施形態では、図１に示すように、前記基材シート２の基端３が同図に想像線で示す折目線ｆよりも基材シート２の先端４から遠い場所に位置されている。これにより基端３と折目線ｆとの間に表れる基材シート部分がストッパＳを形成している（図３参照）。
但し、当該基端３は折目線ｆと補助シート１０の他方端部１３との間の領域にあるものとし、好ましくはこの領域内で折目線よりに位置することが望ましい。
【００２２】
貼着面保護用シート２０は、前記貼着面Ａｓのうちで他方半部１０ｂに設けられた部分を覆っている。この貼着面保護用シート２０は、商品の流通時に埃などが貼着面Ａｓに付着しないように覆い、使用時に剥がす保護シート（剥離用シート）の役割を有する。貼着面保護用シート２０は、補助シート１０のうち基材シート２から突き出した部分に対応する形状を有することが望ましい。もっともこの形状は適宜変更することができる。
【００２３】
上記構成において、本願の貼着用シートを使用するときには、必要により基材シート２の表側にメモなどを記載するとともに、前記貼着面保護用シート２０を剥がし、補助シート１０の他方端部１３を摘まんで裏側（基材シート２の在る側と反対側）に引っ張ると、基材シート２の基端３側のストッパＳと他方半部１０ｂとが離れる。この状態で他方半部１０ｂの表側の貼着面Ａｓを下にしてターゲット面Ｔに貼り付ける（図４参照）。
そうすると、境目Ｂの裏側（同図右側）では他方端部１３が貼着面Ａｓを介してターゲット面Ｔに留め付けされ、境目Ｂの表側ではストッパＳの下端がターゲット面Ｔに当接して係止する。この状態において、補助シート１０が屈曲状態から原形状へ復帰しようとする力と、ストッパＳがターゲット面Ｔに係止して原形状への復帰を妨げる力とが拮抗する。
これにより基材シート２及び一方半部１０ａの自立状態が維持される。この状態で一方半部１０ａ及び他方半部１０ｂの間の角度θが鋭角になるように、ストッパＳの強度が設定されていると、メモ面が上側を向くので更に好適である。
上記の操作において、貼着面保護用シート２０を剥がす、補助シート１０を曲げるというように指先の器用さをそれほど必要としない作業しか必要ではない。前述の特許文献１の如く、基材に相当する紙片から当該紙片の一部である切片を引き出し、紙片の別の場所にある差込用スリットを視認して、そこに切片を差し込むというような比較的細かい作業をする必要がないから、手先が器用でない利用者或いは視力があまり良くない利用者でも簡単に行うことができる。
【００２４】
図４の例では、ストッパＳが比較的長く形成されており、ストッパＳの先部がターゲット面に沿って変形している。これに対して、図５に示す変形例のようにストッパＳを短く、かつ境目Ｂでの補助シート１０の曲り具合を大きくして、ストッパＳが変形しないように設けてもよい。
【００２５】
以下、他の実施形態を説明する。これらの説明において第１実施形態と同じ構成に関しては解説を省略する。
【００２６】
図６及び図７は、本発明の第２実施形態に係る自立型フセンを示している。この自立型フセンは、可撓性を有する基材シート２で形成された単一シート式フセンである。
本実施形態の基材シート２は、主方向Ｘの先端４寄りにシート本体２ａを、基端３寄りに脚部２ｂを、両者の境目Ｂの両側にそれぞれ有している。
前記シート本体２ａは、表面にメモ領域Ａｄを有しており、前述の脚部２ｂよりも主方向に長く設けることが望ましい。
前記脚部２ｂは、少なくとも前記基端に沿って貼着領域Ａｓを設けている。図示例では、貼着領域Ａｓと前記境目Ｂとの間に中間領域Ａｍが設けられている。
この中間領域Ａｍにおいて、前記境界に連続する切込み６を穿設して、切込み６の内側にストッパＳを設ける。ストッパＳは、中間領域Ａｍの巾方向（主方向Ｘ）に相互に間隔を存して複数設けることが望ましい。図示例では、前記切込み６は、前記両端部が境目Ｂに位置する略Ｕ字形に形成されている。“略Ｕ字形”という用語は、凹字形やＶ字形が含まれるものとする。
もっともこの構造は適宜変更することができ、例えば中間領域Ａｍの巾方向両端にストッパＳを設けるときには、切込み６の形状をＬ字形とし、上側の端部を境目Ｂに位置させ、下側の端部を基材シート２の側縁に位置させても構わない。
前記脚部２ｂのストッパ形成箇所を除く部分は、弾性的に屈曲可能な脚板部８に形成している。
【００２７】
前記構成において、ストッパＳを後方（裏側）から前方へ押し出し、そして脚板部８を後方へ撓ませることにより、ストッパＳと脚板部８とが分離される。この状態で脚板部８の貼着面Ａｓを下側にして、脚板部８をターゲット面Ｔに貼着させるととともに、ストッパＳをターゲット面に突き当てる。これにより単一の基材シート２において自立状態を維持することができる。
【００２８】
なお、好適な実施例では、全ストッパＳの横幅の総和（ｗ１＋ｗ２＋…）を中間領域での脚板部８の横幅の総和（ｖ１＋ｖ２＋…）より長く設けている。
その理由を以下に説明する。
単一シート式の自立型フセンでの起立状態は、脚板部が原形状に戻ろうとする弾性力と、ストッパが変形状態を支えようとする支持力とが拮抗することにより成立する。
［全ストッパの支持力の上限値］／［脚板部の弾性力］＜１
であると、支持力が劣勢になるため、初期状態ではシート本体のメモ面が下向きになってしまう。
［全ストッパの支持力の上限値］／［脚板部の弾性力］＞１        （１）
という条件が満たされるときには、初期状態でメモ面が上向きになる。
単一シート形式では、ストッパと脚板部とが同じシートの一部であり、同じ材料、同じ厚さであるから、上記の（１）は次のように変形できる（図１参照）。
［全ストッパの横幅の総和(ｗ１＋ｗ２)］／［脚板部の横幅（ｖ１＋ｖ２＋ｖ３）］＞１
【符号の説明】
【００２９】
２…基材シート
２ａ…基材シート本体  ２ｂ…脚部  ３…基端  ４…先端
６…切込み  ８…脚板部  
１０…補助シート
１０ａ…一方半部  １０ｂ…他方半部  １２…一方端部  １３…他方端部
２０…貼着面保護用シート
Ａｄ…メモ領域（メモ用面）  Ａｍ…中間領域  Ａｓ…貼着領域（貼着面）
Ｂ…境目  ｆ…折目線  Ｈ…ヒンジ機構  Ｓ…ストッパ  Ｔ…ターゲット面
Ｘ…主方向  Ｙ…巾方向
ｖ１、ｖ２、ｖ３…脚板部の巾
ｗ１、ｗ２…ストッパの巾
θ…（一方半部と他方半部との間の）角度
【図１】
2018194688.tif 000003
【図２】
2018194688.tif 000004
【図３】
2018194688.tif 000005
【図４】
2018194688.tif 000006
【図５】
2018194688.tif 000007
【図６】
2018194688.tif 000008
【図７】
2018194688.tif 000009